【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
液体が光学的な加熱ビームにより加熱され、
その加熱位置が光学的な検出ビームによって照射される、
流れている液体の流動量を決定する方法において、
加熱ビームの光軸と検出ビームの光軸とが少なくともその加熱位置において一致し、
検出ビームが検出器アレイによって受信され、
少なくとも分散の統計モーメントが算定される
ことを特徴とする流れている液体の流動量を決定する方法。
【請求項２】
加熱ビームおよび検出ビームは同一の放射源から出射されることを特徴とする請求項１記載の方法。
【請求項３】
加熱ビームおよび検出ビームは異なる放射源から出射されることを特徴とする請求項１記載の方法。
【請求項４】
検出ビームは加熱ビームよりも大きい平均直径を有することを特徴とする請求項１乃至３の１つに記載の方法。
【請求項５】
光ビームまたはレーザビームは液体の内部領域において集束させられることを特徴とする請求項１乃至４の１つに記載の方法。
【請求項６】
液体を通過するビームは平行ビームであることを特徴とする請求項１乃至４の１つに記載の方法。
【請求項７】
ビームは変調された光ビームであることを特徴とする請求項１乃至６の１つに記載の方法。
【請求項８】
検出器アレイによって時間的に連続する複数の測定が行なわれることを特徴とする請求項１乃至７の１つに記載の方法。
【請求項９】
時間的に連続する複数の測定は１つの光パルスの期間中に行なわれ、それによって液体内の加熱領域の屈折率の時間推移が決定されることを特徴とする請求項７又は８記載の方法。
【請求項１０】
検出は直線型の検出器アレイにより行なわれることを特徴とする請求項１乃至９の１つに記載の方法。
【請求項１１】
検出は平面型（２次元）の検出器アレイにより行なわれることを特徴とする請求項１乃至９の１つに記載の方法。
【請求項１２】
流動量は光ビームの受信された分布から決定されることを特徴とする請求項１乃至１１の１つに記載の方法。
【請求項１３】
液体の流速が統計モーメントの減少の算定によって決定されることを特徴とする請求項１乃至１２の１つに記載の方法。
【請求項１４】
受信された信号の統計モーメントが算定されることを特徴とする請求項１乃至１３の１つに記載の方法。
【請求項１５】
光ビームの位置の平均値のずれが流動量の尺度として算定されることを特徴とする請求項１４記載の方法。
【請求項１６】
流動量による光ビームの分散の変調が算定されることを特徴とする請求項１４又は１５記載の方法。
【請求項１７】
光ビームが強度変調され、変調および測定の位相差が算定されることを特徴とする請求項１乃至１６の１つに記載の方法。
【請求項１８】
光ビームが複数の周波数により変調されることを特徴とする請求項１７記載の方法。
【請求項１９】
光ビームが確率的に変調されることを特徴とする請求項１７又は１８記載の方法。
【請求項２０】
測定ビーム（２．３）が少なくとも部分的に透過する壁（２．１．１）を有し液体（８）によって貫流される管（２．１）と、液体（８）の内部における少なくとも１つの領域を加熱する装置と、測定ビームを発生するレーザ（２．２）と、電子的評価装置（５）とを備えた液体の流動量を決定する装置において、
液体（８）の限定された内部領域を加熱する装置と、レーザ（２．２）のビーム（２．３）を案内する光学装置（２．４，２．６）とを、測定ビーム（２．３）が加熱領域をそれの加熱の絶対的位置において照射するように配置し、測定ビームを受信する検出器アレイ（２．５）を設け、評価装置は少なくとも分散の統計モーメントを算定するように構成されている
ことを特徴とする液体の流動量を決定する装置。
【請求項２１】
流れている液体を加熱する装置はレーザ（２．２）であることを特徴とする請求項２０記載の装置。
【請求項２２】
測定ビーム（２．３）を発生するレーザ（２．２）は液体を加熱する装置であることを特徴とする請求項２０又は２１記載の装置。
【請求項２３】
光学装置（２．４，２．６）によって、光ビーム（２．３）は分割されないで液体（８）を通るように向けられていることを特徴とする請求項２２記載の装置。
【請求項２４】
液体の流れの内部にレーザビームを集束させる集束レンズ（２．６）が設けられていることを特徴とする請求項２０乃至２３の１つに記載の装置。
【請求項２５】
平行化および平行ビームによる液体（８）の照射のためのレンズ（２．４）が設けられていることを特徴とする請求項２０乃至２３の１つに記載の装置。
【請求項２６】
レーザ（２．２）は変調されたレーザであることを特徴とする請求項２０乃至２５の１つに記載の装置。
【請求項２７】
時間的に連続する複数の測定を行なうように構成されていることを特徴とする請求項２０乃至２６の１つに記載の装置。
【請求項２８】
１つのレーザパルスの期間中に時間的に連続する複数の測定を行なうように構成されていることを特徴とする請求項２６又は２７記載の装置。
【請求項２９】
検出器アレイ（２．５）は直線型の検出器アレイであることを特徴とする請求項２０乃至２８の１つに記載の装置。
【請求項３０】
検出器アレイ（２．５）は平面型の２次元の検出器アレイであることを特徴とする請求項２０乃至２８の１つに記載の装置。
【請求項３１】
評価装置は、受信された信号の統計モーメントを算定するように構成されていることを特徴とする請求項２０乃至３０の１つに記載の装置。
【手続補正２】
【補正対象書類名】明細書
【補正対象項目名】０００６
【補正方法】変更
【補正の内容】
【０００６】
この課題は、本発明によれば、液体が光学的な加熱ビームにより加熱され、
その加熱位置が光学的な検出ビームによって照射される、
流れている液体の流動量を決定する方法において、
加熱ビームの光軸と検出ビームの光軸とが少なくともその加熱位置において一致し、
検出ビームが検出器アレイによって受信され、
少なくとも分散の統計モーメントが算定される
ことによって解決される（請求項１）。
流れている液体の流動量を決定する方法に関する本発明の実施態様は次の通りである。
・加熱ビームおよび検出ビームは同一の放射源から出射される（請求項２）。
・加熱ビームおよび検出ビームは異なる放射源から出射される（請求項３）。
・検出ビームは加熱ビームよりも大きい平均直径を有する（請求項４）。
・光ビームまたはレーザビームは液体の内部領域において集束させられる（請求項５）。
・液体を通過するビームは平行ビームである（請求項６）。
・ビームは変調された光ビームである（請求項７）。
・検出器アレイによって時間的に連続する複数の測定が行なわれる（請求項８）。
・時間的に連続する複数の測定は１つの光パルスの期間中に行なわれ、それによって液体内の加熱領域の屈折率の時間推移が決定される（請求項９）。
・検出は直線型の検出器アレイにより行なわれる（請求項１０）。
・検出は平面型（２次元）の検出器アレイにより行なわれる（請求項１１）。
・流動量は光ビームの受信された分布から決定される（請求項１２）。
・液体の流速が統計モーメントの減少の算定によって決定される（請求項１３）。
・平均値、分散、歪度および／または尖度のような受信された信号の統計モーメントが算定される（請求項１４）。
・光ビームの位置の平均値のずれが流動量の尺度として算定される（請求項１５）。
・流動量による光ビームの分散の変調が算定される（請求項１６）。
・光ビームが強度変調され、変調および測定の位相差が算定される（請求項１７）。
・光ビームが複数の周波数により変調される（請求項１８）。
・光ビームが確率的に変調される（請求項１９）。
【手続補正３】
【補正対象書類名】明細書
【補正対象項目名】０００７
【補正方法】変更
【補正の内容】
【０００７】
さらに、上記課題の解決のために、本発明によれば、測定ビームが少なくとも部分的に透過する壁を有し液体によって貫流される管と、液体の内部における少なくとも１つの領域を加熱する装置と、測定ビームを発生するレーザと、電子的評価装置とを備えた液体の流動量を決定する装置において、
液体の限定された内部領域を加熱する装置と、レーザのビームを案内する光学装置とを、測定ビームが加熱領域をそれの加熱の絶対的位置において照射するように配置し、測定ビームを受信する検出器アレイを設け、評価装置は少なくとも分散の統計モーメントを算定するように構成されている（請求項２０）。
液体の流動量を決定する装置に関する本発明の実施態様は次の通りである。
・流れている液体を加熱する装置はレーザである（請求項２１）。
・測定ビームを発生するレーザは液体を加熱する装置である（請求項２２）。
・光学装置によって、光ビームは分割されないで液体を通るように向けられている（請求項２３）。
・液体の流れの内部にレーザビームを集束させる集束レンズが設けられている（請求項２４）。
・平行化および平行ビームによる液体の照射のためのレンズが設けられている（請求項２５）。
・レーザは変調されたレーザである（請求項２６）。
・時間的に連続する複数の測定を行なうように構成されている（請求項２７）。
・１つのレーザパルスの期間中に時間的に連続する複数の測定を行なうように構成されている（請求項２８）。
・検出器アレイは直線型の検出器アレイである（請求項２９）。
・検出器アレイは平面型の２次元の検出器アレイである（請求項３０）。
・評価装置は、平均値、分散、歪度および／または尖度のような受信された信号の統計モーメントを算定するように構成されている（請求項３１）。